(57)【特許請求の範囲】
【請求項１】
制御盤から延びる１つの伝送路上に複数の端末が接続され、制御盤が各端末に順次ポーリングを行い、各端末がそれぞれ応答する防災システムにおいて、
前記制御盤は、ポーリングに対する応答として前記端末から音声伝送要求を収集した場合、当該伝送要求元の端末及び伝送先の端末に割り当てる音声用タイムスロットを決定してそれぞれの端末に通知する手段を備え、
伝送要求元となる端末は、非常電話、非常放送、非常警報に係る音声データが入力される音声入力機能部を少なくとも備え、該音声入力機能部から何れかの音声データが入力された場合、前記制御盤からのポーリングに対し、音声伝送要求を応答し、入力された音声データを前記制御盤から割り当てられた音声用タイムスロット内で前記伝送路に伝送し、
伝送先となる端末は、少なくとも音声出力機能部を備え、割り当てられた音声用タイムスロット内の音声データを収集し、前記音声出力機能部から出力することを特徴とする防災システム。
【請求項２】
前記音声入力機能部は、入力された音声を所定の期間に分割し、圧縮多重化して、前記割り当てられた音声用タイムスロットで定期的に伝送するものであり、前記音声出力機能部は、割り当てられた音声用タイムスロットで周期的に収集される音声データを順次伸長して出力することを特徴とする請求項１記載の防災システム。
【請求項３】
音声データの圧縮レートを、入力された音声データに応じて可変としたことを特徴とする請求項２記載の防災システム。
【請求項４】
非常放送に係る音声データの圧縮レートを、通話に係る音声データの圧縮レートよりも低く設定したことを特徴とする請求項３記載の防災システム。
【請求項５】
前記制御盤は、音声伝送要求を収集した場合、伝送先の端末に割り当てる音声用タイムスロットを決定して当該伝送先の端末に通知する手段を備え、前記制御盤は、音声データが入力される音声入力機能部を少なくとも備え、該音声入力機能部から音声データが入力された場合、音声伝送要求を収集したものとし、入力された音声データを前記伝送先の端末に割り当てた音声用タイムスロット内で前記伝送路に伝送し、
伝送先となる端末は、少なくとも音声出力機能部を備え、割り当てられた音声用タイムスロット内の音声データを収集し、前記音声出力機能部から出力することを特徴とする請求項１記載の防災システム。
【請求項６】
前記制御盤から延びる１つの伝送路上に、非常通話機能を備えた端末、非常放送機能を備えた端末、非常警報機能を備えた端末が混在して接続されてなることを特徴とする請求項１記載の防災システム。
【発明の詳細な説明】
【０００１】
【発明の属する技術分野】
本発明は防災システムに関するものである。
【０００２】
【従来の技術】
図９は従来の防災システムの構成を示すブロック図である。
図において、１０１は制御盤で、ビル等の建物の例えば１階の防災センター（図示しない）に設置され、警報表示装置（図示せず）を備えた火災受信機１０２と、放送制御部１０３と、放送制御部１０３に接続されたマイク１０４及びアンプ１０５と、電源１０６とを備えている。火災受信機１０２には、建物の各階、各所に配置された複数個の感知器１０７、ベルやブザーなどの複数の非常警報設備１０８、携帯用電話子機を接続するための複数の非常電話用ジャック１０９がそれぞれ信号線Ｌ１１，Ｌ１２，Ｌ１３によって接続されている。また、１１０はマイク１０４からの非常放送を放送するスピーカーなどの非常放送設備で、建物の各階、各所に設置されており、信号線Ｌ１４によってアンプ１０５を介して放送制御部１０３に接続されている。
【０００３】
このように構成された防災システム１００において、感知器１０７において火災が検知されると、感知器１０７から火災受信機１０２に火災信号が送られ、火災信号を受信した火災受信機１０２は、建物内の火災階及びその直上階に設けた非常警報設備１０８を鳴動させる。
【０００４】
また、火災受信機１０２に備えられた警報表示装置は、火災検知によって防災センター内に警報を鳴動させるとともに、建物内のどの階に火災が発生したかを示す表示を行う。この表示を確認した管理要員は、携帯用電話子機を携帯して、実際に火災が発生しているかを確認しに行き、現場の状況を防災センターの別の管理要員に報告する。この報告は、現場に向かった管理要員が、非常電話用ジャック１０９に携帯用電話子機を接続し、携帯用電話子機から防災センターの管理要員に報告するものである。そして、その報告を受けた管理要員は、現場に向かった管理要員から誤報であるとの通知を受けた場合には、火災受信機１０２に設置された音響停止スイッチによって非常警報設備１０８の鳴動を停止し、防災センターの制御盤１０１に設けられたマイク１０４を利用して例えば「今の警報は、誤報です。」などのメッセージを非常放送設備１１０から放送する。一方、実際に火災発生が発生していれば、避難誘導のメッセージを同様にして放送する。
【０００５】
【発明が解決しようとする課題】
上記従来の防災システムでは、非常警報用、非常電話用、非常放送用にそれぞれ別々の信号線Ｌ１２、Ｌ１３、Ｌ１４を設けているため、複数の回線が必要となり、施工上面倒であるという課題があった。また、非常放送は制御盤１０１からしか行えないため、仮に管理要員が一人の場合には、現場確認後、防災センターまで戻らなければならず、緊急面での配慮が不充分であった。
【０００６】
本発明は上記の点に鑑みてなされたものであり、伝送路を低減して施工の容易化を図ることができる防災システムを提供することを第１の目的とする。
【０００７】
また、第１の目的に加え、非常放送を適宜箇所から行うことが可能な防災システムを提供することを第２の目的とする。
【０００８】
【課題を解決するための手段】
（１）本発明に係る防災システムは、制御盤から延びる１つの伝送路上に複数の端末が接続され、制御盤が各端末に順次ポーリングを行い、各端末がそれぞれ応答する防災システムにおいて、制御盤は、ポーリングに対する応答として端末から音声伝送要求を収集した場合、伝送要求元の端末及び伝送先の端末に割り当てる音声用タイムスロットを決定してそれぞれの端末に通知する手段を備え、伝送要求元となる端末は、非常電話、非常放送、非常警報に係る音声データが入力される音声入力機能部を少なくとも備え、音声入力機能部から何れかの音声データが入力された場合、制御盤からのポーリングに対し、音声伝送要求を応答し、入力された音声データを制御盤から割り当てられた音声用タイムスロット内で伝送路に伝送し、伝送先となる端末は、少なくとも音声出力機能部を備え、割り当てられた音声用タイムスロット内の音声データを収集し、音声出力機能部から出力するものである。
【０００９】
（２）本発明に係る防災システムは、上記（１）において、音声入力機能部が、入力された音声を所定の期間に分割し、圧縮多重化して、割り当てられた音声用タイムスロットで定期的に伝送するものであり、音声出力機能部は、割り当てられた音声用タイムスロットで周期的に収集される音声データを順次伸長して出力するものである。
【００１０】
（３）本発明に係る防災システムは、上記（２）において、音声データの圧縮レートを、入力された音声データに応じて可変としたものである。
【００１１】
（４）本発明に係る防災システムは、上記（３）において、非常放送に係る音声データの圧縮レートを、通話に係る音声データの圧縮レートよりも低く設定したものである。
【００１２】
（５）本発明に係る防災システムは、上記（１）において、制御盤が、音声伝送要求を収集した場合、伝送先の端末に割り当てる音声用タイムスロットを決定して伝送先の端末に通知する手段を備え、制御盤は、音声データが入力される音声入力機能部を少なくとも備え、音声入力機能部から音声データが入力された場合、音声伝送要求を収集したものとし、入力された音声データを伝送先の端末に割り当てた音声用タイムスロット内で伝送路に伝送し、伝送先となる端末は、少なくとも音声出力機能部を備え、割り当てられた音声用タイムスロット内の音声データを収集し、音声出力機能部から出力するものである。
【００１３】
（６）本発明に係る防災システムは、上記（１）において、制御盤から延びる１つの伝送路上に、非常通話機能を備えた端末、非常放送機能を備えた端末、非常警報機能を備えた端末が混在して接続されてなるものである。
【００１５】
【発明の実施の形態】
図１は本発明の一実施の形態に係る防災システムの構成を示すブロック図である。本実施の形態の防災システム１は、制御盤２から延びる１つの伝送路Ｌ１上に、複数の端末Ｔ１〜Ｔｎが接続された構成となっている。この防災システム１は、音声データを多重化して伝送することで、非常電話、非常警報、非常放送のそれぞれの音声データを一つの伝送路Ｌ１上で伝送できるようにして回線数の低減を図るとともに、複数の端末Ｔ１〜Ｔｎが伝送路を共用することで、端末１台に多種の役割（例えばある端末が非常電話、非常警報設備、非常放送設備の３つの役割）を持たせることを可能としたものである。なお、複数の感知器Ｓが制御盤２に接続されている構成は従来と同様である。
【００１６】
各端末Ｔ１〜Ｔｎは、それぞれ非常電話機能、非常警報機能、非常放送機能のうち少なくとも１以上の機能を備えており、伝送路Ｌ１上に非常通話機能を備えた端末、非常放送機能を備えた端末、非常警報機能を備えた端末が混在して接続されている。
【００１７】
以下、端末の構成について図を参照しながら説明する。
図２は端末の構成説明図である。
各端末Ｔ１〜Ｔｎは、それぞれ図２に示す音声入力機能部Ｆ１、音声出力機能部Ｆ２、操作入力機能部Ｆ３のうち、一部又は全部の機能部と、制御プログラム等が格納されたメモリ２０と、他の端末及び制御盤２との通信を行うための通信インタフェース（通信Ｉ／Ｆ）２１と、制御部２２とを備えている。なお、図２には、各機能部のうち、全ての機能部を備えた端末Ｔを示している。この端末Ｔは、図示しないが固有のアドレスを設定するためのアドレス設定部を備えている。
【００１８】
端末Ｔ１〜Ｔｎは、音声入力機能部Ｆ１、音声出力機能部Ｆ２、操作入力機能部Ｆ３のうち、備えられた機能部に応じて以下に示すように非常電話、非常警報設備、非常放送設備の機能を果たすものである。
【００１９】
１．音声入力機能部Ｆ１、音声出力機能部Ｆ２、操作入力機能部Ｆ３の全てを備えた端末
・非常電話
・非常警報設備
・非常放送設備（放送入力、放送出力の両方）
・インターホン
【００２０】
２．音声出力機能部Ｆ２を備えた端末
・非常警報設備（警報出力）
・非常放送設備（放送出力）
【００２１】
すなわち、全機能部Ｆ１，Ｆ２，Ｆ３を備えた端末は、非常電話機能、非常警報機能、非常放送機能を備えた端末となり、また、音声出力機能部Ｆ２を備えた端末は、警報用スピーカとしても、放送用スピーカとしても使用できる端末となる。
【００２２】
ここで、各機能部の説明に戻る。
音声入力機能部Ｆ１は、マイクなどの音声入力部１１と、音声入力部１１から順次入力される音声信号を増幅する増幅部１２、増幅された音声信号をデジタル変換するＡ／Ｄ変換部１３、デジタル化された音声信号を圧縮する音声圧縮部１４とを備えている。
【００２３】
音声圧縮部１４は、Ａ／Ｄ変換部１３から順次入力される音声信号を所定期間に分割して順次圧縮する。ここでは、例えば２５msec毎に分割し、その２５msec分の音声データを所定の圧縮レートで圧縮して圧縮データを生成する。
【００２４】
音声出力機能部Ｆ２は、通信Ｉ／Ｆ２１を介して入力された音声信号を伸長する音声伸長部１８と、伸長された音声データをアナログ変換するＤ／Ａ変換１７部、アナログ化された音声データを増幅する増幅部１６と、増幅された音声データを出力するスピーカなどの音声出力部１５とを備えている。
【００２５】
操作入力機能部Ｆ３は、複数の操作キーからなる操作入力部１９からなり、通話、放送、警報のための所定の操作が行われる部分である。例えば、非常通話の際の通信先の指定、例えば特定の端末Ｔのアドレスの指定等が行われる。
【００２６】
制御部２２は、音声入力機能部Ｆ１の音声圧縮部１４にて生成された圧縮データを制御盤２から指定された音声用タイムスロットで通信Ｉ／Ｆ２１を介して伝送路Ｌ１上に順次伝送し、また、制御盤２から指定された音声用タイムスロット内の音声データを伝送路Ｌ１上から通信Ｉ／Ｆ２１を介して収集して音声出力機能部Ｆ２に出力する等の各種制御を行う。
【００２７】
図３は制御盤の構成説明図である。
制御盤２は、各端末Ｔ１〜Ｔｎと接続するための通信インタフェース３３（通信Ｉ／Ｆ）と、感知器Ｓからの火災信号の入力を受け付けて後述の制御部３４に供給する複数の感知器用インタフェース（感知器用Ｉ／Ｆ）３１と、制御プログラム等が格納されたメモリ３２と、図２と同様の音声入力機能部Ｆ１、音声出力機能部Ｆ２及び、操作入力機能部Ｆ３と、制御盤２全体を制御する制御部３４とを備えている。なお、図に示すように、通信Ｉ／Ｆ３３は、必要に応じて複数設けられ、伝送路Ｌ１と接続される。
【００２８】
以上のようにして構成された防災システム１は、ポーリング方式で音声データの伝送を行うシステムで、制御盤２が制御局、各端末装置Ｔ１〜Ｔｎが従属局となり、音声データの伝送を行うようになっている。以下、この防災システム１における音声データの伝送制御方法について図を参照しながら説明する。
【００２９】
図４は、データ伝送サイクルの説明図、図５は、図４の端末スキャンサイクルの情報伝送の流れを示す図である。
データ伝送サイクルは、端末スキャンサイクルと音声データ伝送サイクルから構成される。端末スキャンサイクルは、複数ｍ個（ここではｍ＝４）のタイムスロット（以下、端末スキャンサイクルにおけるタイムスロットを制御用タイムスロットという）で構成される。各制御用タイムスロットは各端末Ｔ１〜Ｔｎにそれぞれ１つずつ割り当てられるようになっており、各端末Ｔ１〜Ｔｎはそれぞれ自身に割り当てられた制御用タイムスロット内で図５に示すように、制御盤２からのポーリング（要求の問い合わせ、接続状況の確認、制御データの送信など）に対し、応答を行うようになっている。
【００３０】
ここでは、１回のデータ伝送サイクルにおける端末スキャンサイクルは４つの制御用タイムスロットＴＳ−Ｔ１〜ＴＳ−Ｔ４で構成されているため、全端末数が例えば６４台であれば、１６回のデータ伝送サイクルで全端末Ｔ１〜Ｔｎへの制御用タイムスロットの割り当てが終了することになる。
【００３１】
このように、端末スキャンサイクルでは、制御盤２が各端末Ｔ１〜Ｔｎに対し、順次ポーリングを行い、各端末Ｔ１〜Ｔｎは、それぞれ定期的に自身に割り当てられる制御用タイムスロットで制御盤２に対し放送要求や通話要求などの音声伝送要求を応答する。
【００３２】
また、音声データ伝送サイクルは、音声データの伝送を行うサイクルで、ｍ’個（ここではｍ’＝１０）のタイムスロットＴＳ−Ｓ１〜ＴＳ−Ｓ１０（以下、音声データサイクルにおけるタイムスロットを音声データ用タイムスロットという）で構成される。音声データ用タイムスロットは、制御用タイムスロットとは異なり、各端末Ｔ１〜Ｔｎに定期的に必ず割り当てられるものではなく、制御盤２が各端末Ｔ１〜Ｔｎに対して行ったポーリングに対し、各端末Ｔ１〜Ｔｎから収集された要求の優先度等に基づき判断され、制御盤２から適宜端末Ｔへ割り当てるものである。すなわち、音声データの伝送に際しては、制御盤２が各端末Ｔ１〜Ｔｎにどの音声用タイムスロットを割り当てるかを指示し、端末Ｔ１〜Ｔｎは指示された音声用タイムスロットの音声データを収集するか又は指定された音声用タイムスロットに音声データを送出して音声データの送受が行われる。
【００３３】
次に動作について図を参照しながら説明する。
図６は、防災システムの具体的な端末構成の一例を示した図で、図中のＦ１，Ｆ２，Ｆ３はそれぞれ音声入力機能部Ｆ１、音声出力機能部Ｆ２、操作入力部１９に相当し、各端末Ｔ１〜Ｔｎがどの機能部を備えているのかを示したものである。ここでは、図６に示すように、端末Ｔ１，Ｔ４，Ｔ６が全機能部Ｆ１，Ｆ２，Ｆ３を備え、端末Ｔ２，Ｔ３，Ｔ５，Ｔｎが音声出力機能部Ｆ２を備えた場合を例に動作説明を行う。
【００３４】
以下、防災システム１の動作を、非常放送の場合、通話の場合を例に挙げ、それぞれ説明する。
【００３５】
＜放送の場合＞
本発明は、非常放送を行う場合、従来のように制御盤２が設置された例えば防災センターに限定されず、建物内の適当箇所で行えるのが特徴の１つであり、以下、その例として、例えば火災を感知した感知器Ｓからの火災信号が制御盤２の制御部３４に入力され、音声出力機能部Ｆ２から出力される非常警報を確認した防災センター常駐の管理要員が現場確認に赴き、その現場近くの端末Ｔ１から端末Ｔ３，Ｔ４に非常放送を行う場合を考える。この際、管理要員は、端末Ｔ１の操作入力部１９を操作することで、放送の伝送先としての端末Ｔ３，Ｔ４を指定する。
【００３６】
図７は、非常放送の場合の情報伝送の流れを示す図である。なお、図７には、端末スキャンサイクルにおいて、端末Ｔ１，端末Ｔ３，Ｔ４にそれぞれ定期的に割り当てられる制御用タイムスロット及び制御盤２から割り当てられた音声用タイムスロットでのデータ伝送を示したものであり、その他の端末に対するデータ伝送の流れについては省略している。
【００３７】
制御盤２は、端末Ｔ１に対する制御用タイムスロットで要求確認を行い（４１）、端末Ｔ１は音声伝送要求としての放送要求を応答する（４２）。制御盤２は、この端末Ｔ１からの要求に他の端末からの要求等も併せてどの要求を認めるかを判断する。ここでは端末Ｔ１からの放送要求を認めると判断し、この非常放送で使用する音声用タイムスロットを決定する。ここでは、音声用タイムスロットＴＳ−Ｓ１と決定されたとして以下に説明を続ける。
【００３８】
制御盤２は、決定した音声用タイムスロットＴＳ−Ｓ１を、端末Ｔ１，Ｔ３，Ｔ４のそれぞれに対し、順次、それぞれ固有の制御用タイムスロットＴＳ−Ｔ１,ＴＳ−Ｔ３,ＴＳ−Ｔ４で指示する（４３，４５，４７）。指示を受けた端末Ｔ１，Ｔ３，Ｔ４は、それぞれ了解の旨の応答を行う（４４，４６，４８）。このとき、端末Ｔ１に対しては、音声データ送出のための音声用タイムスロットとして音声用タイムスロットＴＳ−Ｓ１が指示され（４３ａ）、端末Ｔ３，Ｔ４に対しては参照すべき音声用タイムスロットとして音声用タイムスロットＴＳ−Ｓ１が放送命令として指示される（４５ａ，４７ａ）。割り当てた音声用タイムスロットＴＳ−Ｓ１が指示された後の各端末Ｔ１，Ｔ３，Ｔ４の動作は以下の通りである。
【００３９】
端末Ｔ１では、非常放送用の管理要員の音声が音声入力部１１から順次入力されており、その音声信号は、増幅部１２、Ａ／Ｄ変換部１３を介して順次音声圧縮部１４に出力されている。音声圧縮部１４では、Ａ／Ｄ変換部１３からの音声信号を２５msec間隔に分割し、順次圧縮している。制御部２２は、音声圧縮部１４から２５msec間隔で生成される圧縮音声データ（非常放送データ）を、制御盤２から指定された音声用タイムスロットＴＳ−Ｓ１で通信Ｉ／Ｆ２１から伝送路Ｌ１に送出する。つまり、非常放送データは、各データ伝送サイクルの音声用タイムスロットＴＳ−Ｓ１を連続的に使用して伝送されることになる。
【００４０】
一方、端末Ｔ３，Ｔ４のそれぞれは、制御盤２からの放送命令に従い、２５msec間隔で自端末に割り当てられた音声用タイムスロットＴＳ−Ｓ１を定期的に参照し、該音声用タイムスロットＴＳ−Ｓ１内の非常放送データを通信Ｉ／Ｆ２１を介して伝送路Ｌ１から収集する。収集した非常放送データは、音声伸長部１８、Ｄ／Ａ変換部１７、増幅部１６を介して音声出力部１５に出力され、音声出力部１５から外部に放送される。
【００４１】
ところで、データ伝送サイクルは、音声圧縮の間隔（音声を分割する間隔であり、ここでは２５msec）と同じタイミングに設定されている。これにより、音声出力側の端末（ここでは端末Ｔ３，Ｔ４）は、圧縮間隔と同間隔で収集される音声データを単純に順次伸長等の処理を行って出力することで音声を連続して流すことが可能となる。よって、音の揺らぎがなく、クリアな音声が出力されるようになっている。
【００４２】
以上では、端末Ｔ１から非常放送を行う場合を例示したが、音声入力機能部Ｆ１を備えた端末であればどれからでも非常放送が可能である。このため、非常放送に際し、従来のように防災センターまで戻る必要が無く、現場近くの該当端末から直ちに非常放送が行え、緊急対策に優れた防災システム１を得ることが可能となる。
【００４３】
＜通話の場合＞
ここでは、端末Ｔ１と端末Ｔ４との通話を例に説明する。例えば、防災システム１の点検時において、ある点検者が端末Ｔ１の操作入力部１９を操作することで、通話の伝送先としての端末Ｔ４を指定して、端末Ｔ４側にいる別の点検者と通話する場合である。
【００４４】
図８は、通話の場合の情報伝送の流れを示す図である。なお、図８には端末スキャンサイクルにおいて、端末Ｔ１及び端末Ｔ４にそれぞれ定期的に割り当てられる制御用タイムスロット及び制御盤２から割り当てられた音声用タイムスロットでのデータ伝送を示したものであり、その他の端末に対するデータ伝送の流れについては省略している。
【００４５】
制御盤２は、端末Ｔ１に対する制御用タイムスロットで要求確認を行い（５１）、端末Ｔ１は、音声伝送要求としての通話要求を応答する（５２）。制御盤２は、この端末Ｔ１からの要求に他の端末からの要求等も併せてどの要求を認めるかを判断し、ここでは端末Ｔ１からの通話要求を認めると判断し、端末Ｔ４に対する制御用タイムスロットで通話を指示する旨の制御命令を送る（５３）。端末Ｔ４は了解の旨の応答を行う（５４）。この応答後、端末Ｔ４では呼出音が流され、その間、制御盤２からは端末Ｔ４に対しポーリング（要求確認）が続けられ（５５）、端末Ｔ４からオフフックの応答があると（５６）、制御盤２は、この端末Ｔ１と端末Ｔ４との通話に使用する音声用タイムスロットを決定する。ここでは、音声用タイムスロットＴＳ−Ｓ１、ＴＳ−Ｓ２と決定されたとして以下に説明を続ける。
【００４６】
制御盤２は、決定した音声用タイムスロットＴＳ−Ｓ，ＴＳ−Ｓ２を端末Ｔ１及び端末Ｔ４のそれぞれに対し、順次、それぞれに対する制御用タイムスロットで指示する（５７，５９）。指示を受けた端末Ｔ１及び端末Ｔ４は、それぞれ了解の旨の応答を行う（５８，６０）。ここでは、端末Ｔ１と端末Ｔ４の通話であることから、制御盤２は、端末Ｔ１に対しては、音声用タイムスロットＴＳ−Ｓ１を送話用として指定し（５７ａ）、受話用として音声用タイムスロットＴＳ−Ｓ２を指定する（５７ｂ）。端末Ｔ２に対してはその逆、すなわち受話用としてタイムスロットＴＳ−Ｓ１を指定し（５９ａ）、送話用として音声用タイムスロットＴＳ−Ｓ２を指定する（５９ｂ）。これにより、端末Ｔ１からの音声データが音声タイムスロットＴＳ−Ｓ１に格納され、これを端末Ｔ４が参照し、また、端末Ｔ４からの音声データが音声タイムスロットＴＳ−Ｓ２に格納され、これを端末Ｔ１が参照することにより通話がなされる。なお、音声用タイムスロット割り当て後の各端末Ｔ１，Ｔ４の動作は上記放送の場合と同様であるため、ここでは説明は省略する。
【００４７】
このような通話を行うために、従来は、非常電話専用の信号線を必要としており、また、その信号線上の非常通話用ジャックに接続された子機は、非常通話としての機能しか果たさないのに対し、本発明の防災システム１によれば、伝送路Ｌ１上に接続された端末Ｔ１〜Ｔｎは、音声入力機能部Ｆ１、音声出力機能部Ｆ２、操作入力機能部Ｆ３を備えることにより、非常電話としての役割だけでなく、非常放送設備や非常警報設備としての役割も果たすことが可能となる。
【００４８】
以上に説明したように、本実施の形態１は、音声データを多重化して伝送することで、従来、非常通話機能、非常放送機能、非常警報機能毎にそれぞれ別々に設けていた信号線を一つの伝送路にまとめることができる。その結果、施工の簡略化を図ることが可能となる。
【００４９】
また、各端末Ｔ１〜Ｔｎに共通の伝送路Ｌ１上に非常通話、非常放送、非常警報に係る音声データが送出されるため、通常、非常電話として使用されている端末からも非常放送を行うことが可能となり、従来、非常放送が可能な放送センターまで行かなければならなかった不都合を改善することができる。
【００５０】
また、制御盤２が端末Ｔ１〜Ｔｎからの音声伝送要求に基づき、割り当てる音声用タイムスロットを適宜決定し、端末Ｔ１〜Ｔｎは割り当てられた音声用タイムスロットで音声伝送を行うので、伝送路を有効利用して効率のよい音声伝送が可能となる。
【００５１】
また、データ伝送サイクルは、音声圧縮の間隔（ここでは２５msec）と同じに設定されているため、音の揺らぎがなく、クリアな音声を出力することが可能な防災システム１を得ることが可能となる。
【００５２】
実施の形態２．
音声データは、圧縮時の圧縮レートが低いほど伸長した際の音質を高品質とすることができるが、この場合、データ量を十分に低減できないため、１回のデータ伝送サイクルで伝送できる音声データの伝送数が少なくなってしまう。このため、確保したい音声品質と音声伝送数とのかねあいで圧縮レートを決定できるのが望ましい。防災システム１では、通常、通話よりも放送の場合の音質をクリアにすることが望まれていることから、本実施の形態２では、放送の場合の圧縮レートを通話の場合に比べて低くし、放送時の音質向上を図りつつ、より多くの音声伝送数を確保するようにする。
【００５３】
具体的な処理としては、制御盤２が、音声用タイムスロットの割り当てを決定する際、ポーリングに対する応答が通話要求なのか放送要求なのかを判断し、放送要求と判断した場合、複数の音声用タイムスロットを割り当てるようにする。いくつの音声タイムスロットを割り当てるかは、放送に望まれる音声品質とのかねあいから予め設定された圧縮レートによるものであり、ここでは、２つの音声タイムスロットが割り当てられるとすると、音声入力側の端末は、２５msec分の音声データをその設定圧縮レートで圧縮し、割り当てられた２つ分の音声用タイムスロットを使用して音声データを送信する。音声出力側となる端末は、２つ分の音声用タイムスロットに格納された音声データを収集し、伸長等の処理を行って出力する。
【００５４】
本実施の形態２によれば、通話用と放送用とで圧縮レートを変えることで、用途に応じた必要十分な品質を確保し、より多くの端末からの通信を確保して、全体として最大限の音声伝送を行うことが可能となる。
【００５５】
なお、本実施の形態１，２においては、制御盤が端末から音声伝送要求を収集した時、音声用タイムスロットを割り当てるとしたが、例えば制御盤の操作部が操作されて、制御盤側から音声を入力するような場合には、その操作の際に音声伝送要求を収集したものとして音声用タイムスロットを割り当てる。つまり、音声の伝送要求は、制御盤から行ってもよく、また端末側から音声伝送要求する場合には、伝送先として特定の端末を指定する以外にも、制御盤を伝送先として指定するようにしてもよい。
【００５６】
【発明の効果】
以上の説明から明らかなように、本発明の防災システムによれば、次の効果を得ることができる。
【００５７】
（１）制御盤が端末からの音声伝送要求に基づいて割り当てる音声用タイムスロットを決定し、端末は割り当てられた音声用タイムスロットで音声伝送を行うので、伝送路を有効利用して効率のよい音声伝送が可能となる。
また、端末に音声入力機能部を備え、音声伝送要求を応答するようにしたので、制御盤側からだけでなく、端末側からも、特定の端末又は制御盤に対して音声を出力することができる。
また制御盤が音声伝送要求を収集した場合、端末に割り当てる音声用タイムスロットを決定するので、通話要求や放送要求など複数の音声伝送要求があっても、音声伝送を効率良く行うことができる。
また伝送先となる端末が、割り当てられた音声タイムスロット内の音声データを収集するようにしてあるので、音声を出力する端末を細かく設定でき、特定の端末だけを指定して音声を出力させることが可能となる。
【００５８】
（２）音声データを所定の期間に分割し、圧縮多重化して、定期的に伝送する際のその伝送周期を、音声を分割する前記所定の期間と同じに設定したので、音のゆらぎをなくし、クリアな音声を出力することが可能となる。
【００５９】
（３）音声データの圧縮レートを、入力された音声データに応じて可変としたので、入力された音声データに応じた必要十分な音質を確保しつつ、より多くの端末からの通信を確保して、全体として最大限の音声伝送を行うことが可能となる。
【００６０】
（４）非常放送に係る音声データの圧縮レートを、通話に係る音声データの圧縮レートよりも低く設定したので、防災システムにおいて一般的にクリアな音質が望まれる非常放送時の音質を通話時に比べて高品質とすることができる。
【００６１】
（５）制御盤は、制御盤自身に備えられた音声入力機能部から音声データが入力された場合、この音声データの伝送先の端末に割り当てる音声用タイムスロットを決定し、当該割り当てた音声用タイムスロットで前記音声データを伝送路上に伝送するようにしたので、伝送路を有効利用して効率のよい音声伝送が可能となる。
また制御盤が音声伝送要求を収集した場合、端末に割り当てる音声用タイムスロットを決定するので、通話要求や放送要求など複数の音声伝送要求があっても、音声伝送を効率良く行うことができる。
また伝送先となる端末が、割り当てられた音声タイムスロット内の音声データを収集するようにしてあるので、音声を出力する端末を細かく設定でき、特定の端末だけを指定して音声を出力させることが可能となる。
【００６２】
（６）制御盤から延びる１つの伝送路上に、通話機能を備えた端末、放送機能を備えた端末、警報機能を備えた端末が混在して接続され、従来のように各機能毎に伝送路を設ける必要がないため、施工の簡略化が図れる。
【図面の簡単な説明】
【図１】本発明の一実施の形態に係る防災システムの構成を示すブロック図である。
【図２】図１の端末の構成説明図である。
【図３】図１の制御盤の構成説明図である。
【図４】データ伝送サイクルの説明図である。
【図５】図４の端末スキャンサイクルの情報伝送の流れを示す図である。
【図６】防災システムの具体的な端末構成の一例を示した図である。
【図７】放送の場合の情報伝送の流れを示す図である。
【図８】通話の場合の情報伝送の流れを示す図である。
【図９】従来の防災システムの構成を示すブロック図である。
【符号の説明】
１  防災システム
２  制御盤
１１  音声入力部
１４  音声圧縮部
１５  音声出力部
１８  音声伸長部
Ｆ１  音声入力機能部
Ｆ２  音声出力機能部
Ｆ３  操作入力機能部
【図１】
0003906365.tif 000002
【図２】
0003906365.tif 000003
【図３】
0003906365.tif 000004
【図４】
0003906365.tif 000005
【図５】
0003906365.tif 000006
【図６】
0003906365.tif 000007
【図７】
0003906365.tif 000008
【図８】
0003906365.tif 000009
【図９】
0003906365.tif 000010